(57)【要約】【課題】電化製品における異常の判断を支援することができる稼働モニタ方法、及び稼働モニタ用プログラムを提供する。【解決手段】通信端末４００により実行される稼働モニタ方法は、所定時点における駆動部の運転状況と所定時点において検出部により検出された第１物理量とを示す所定時点第１情報を取得する所定時点第１情報取得ステップと、所定時点第１情報から認識した所定時点における駆動部の運転状況と第１物理量とを共に示す稼働モニタ画面を、表示部４６１に表示する稼働モニタ画面表示ステップとを含む。【選択図】図６
2020087088.tif 000002
【特許請求の範囲】
【請求項１】
駆動部及び前記駆動部の作動に応じて変化する第１物理量を検出する検出部を備えた電化製品の稼働状況を、表示部を備えた通信端末によりモニタする稼働モニタ方法であって、
前記通信端末が、所定時点における前記駆動部の運転状況と前記所定時点において前記検出部により検出された前記第１物理量とを示す所定時点第１情報を取得する所定時点第１情報取得ステップと、
前記通信端末が、前記所定時点第１情報から認識した前記所定時点における前記駆動部の運転状況と前記第１物理量とを共に示す稼働モニタ画面を、前記表示部に表示する稼働モニタ画面表示ステップと
を含むことを特徴とする稼働モニタ方法。
稼働モニタ方法。
【請求項２】
前記通信端末が、第２物理量を検出して検出した前記第２物理量を示す検出情報を無線により送信する無線型検出器により、前記所定時点において検出された前記第２物理量を示す所定時点第２情報を取得する所定時点第２情報取得ステップを含み、
前記稼働モニタ画面表示ステップにおいて、前記通信端末は、前記所定時点における前記駆動部の運転状況及び前記第１物理量と共に、前記所定時点第２情報から認識した前記所定時点における前記第２物理量を示す前記稼働モニタ画面を、前記表示部に表示する
ことを特徴とする請求項１に記載の稼働モニタ方法。
【請求項３】
前記稼働モニタ画面表示ステップにおいて、前記通信端末は、前記電化製品のレイアウトを示す前記稼働モニタ画面を前記表示部に表示し、前記レイアウトにおける前記駆動部の配置位置に前記駆動部の運転状況を示すと共に、前記レイアウトにおける前記検出部の検出箇所に前記検出部により検出された前記第１物理量を示す
ことを特徴とする請求項１又は請求項２に記載の稼働モニタ方法。
【請求項４】
前記電化製品は複数の収容室を有する冷蔵庫であり、
前記駆動部は、コンプレッサ、及び前記収容室に連通したダクトから前記収容室に冷気を送出するファンであり、
前記検出部は、前記複数の収容室に個別に設けられて、前記第１物理量として温度を検出する温度センサであり、
前記稼働モニタ画面表示ステップにおいて、前記通信端末は、前記所定時点における前記コンプレッサ及びファンの運転状況と、前記所定時点における前記収容室の温度とを、共に示す前記稼働モニタ画面を、前記表示部に表示する
ことを特徴とする請求項１から請求項３のうちいずれか１項に記載の稼働モニタ方法。
【請求項５】
前記電化製品は複数の収容室を有する冷蔵庫であり、
前記駆動部は、コンプレッサ、及び前記収容室に連通したダクトから前記収容室に冷気を送出するファンであり、
前記検出部は、前記複数の収容室に個別に設けられて、前記第１物理量として温度を検出する温度センサであり、
前記無線型検出器は、第２物理量として温度を検出する温度センサであり、
前記稼働モニタ画面表示ステップにおいて、前記通信端末は、前記所定時点における前記コンプレッサ及び前記ファンの運転状態と、前記所定時点における前記収容室の温度と、前記所定時点における前記無線型検出器が置かれた箇所の温度とを、共に示す前記稼働モニタ画面を、前記表示部に表示する
ことを特徴とする請求項２に記載の稼働モニタ方法。
【請求項６】
前記通信端末が、所定の正常運転判定開始条件が成立したときに、前記ファンによる前記ダクトから前記収容室への冷気の送出口付近に置かれた前記無線型検出器から送信される前記検出情報を繰り返し受信して、前記検出情報から認識した検出温度の変化に基づいて、前記冷蔵庫の正常運転を判定する正常運転判定ステップを含む
ことを特徴とする請求項５に記載の稼働モニタ方法。
【請求項７】
前記冷蔵庫は、前記収容室の扉の開閉状態を検出する開閉センサを備え、
前記所定時点第１情報は、前記所定時点において前記開閉センサにより検出された前記収容室の扉の開閉状態を含み、
前記稼働モニタ画面表示ステップにおいて、前記通信端末は、前記所定時点第１情報から認識した、前記所定時点における前記コンプレッサ及び前記ファンの運転状態と、前記収容室の温度と、前記収容室の扉の開閉状態とを、共に示す前記稼働モニタ画面を、前記表示部に表示する
ことを特徴とする請求項４から請求項６のうちいずれか１項に記載の稼働モニタ方法。
【請求項８】
前記稼働モニタ画面表示ステップにおいて、前記通信端末は、所定のテストモードによる前記電化製品の運転条件の変更指示を受付ける前記稼働モニタ画面を、前記表示部に表示し、
前記通信端末が、前記テストモードによる前記電化製品の運転条件の変更指示を受付けたときに、前記電化製品に対して、前記テストモードによる前記電化製品の運転条件の変更を指示するテストモード対応ステップを含む
ことを特徴とする請求項１から請求項７のうちいずれか１項に記載の稼働モニタ方法。
【請求項９】
前記稼働モニタ画面表示ステップにおいて、前記通信端末は、前記電化製品の運転パラメータの変更指示を受け付ける前記稼働モニタ画面を、前記表示部に表示し、
前記通信端末が、前記電化製品の運転パラメータの変更指示を受付けたときに、前記電化製品に対して、前記運転パラメータの変更を指示する運転パラメータ変更ステップを含む
ことを特徴とする請求項１から請求項８のうちいずれか１項に記載の稼働モニタ方法。
【請求項１０】
前記通信端末が、前記電化製品の機種情報を取得する機種情報取得ステップを含み、
前記稼働モニタ画面表示ステップにおいて、前記通信端末は、前記機種情報から認識した前記電化製品の機種に対応したメンテナンス支援画面へのリンクを受け付けるメンテナンス対応受付部を表示する前記稼働モニタ画面を、前記表示部に表示し、
前記通信端末が、前記メンテナンス対応受付部への受付要求操作に応じて、前記メンテナンス支援画面を前記表示部に表示するメンテナンス支援画面表示ステップを含む
ことを特徴とする請求項１から請求項９のうちいずれか１項に記載の稼働モニタ方法。
【請求項１１】
前記メンテナンス支援画面表示ステップにおいて、前記通信端末は、前記機種情報から認識した前記電化製品の機種に関連した故障情報を表示する前記メンテナンス支援画面を、前記表示部に表示する
ことを特徴とする請求項１０に記載の稼働モニタ方法。
【請求項１２】
前記メンテナンス支援画面表示ステップにおいて、前記通信端末は、前記駆動部の運転の開始又は停止指示を受け付ける前記メンテナンス支援画面を、前記表示部に表示し、
前記通信端末が、前記メンテナンス支援画面の表示に応じて、前記駆動部の運転の開始又は停止を受付けたときに、前記電化製品に対して、運転の開始を受付けたときは運転の開始を指示し、運転の停止を受付けたときは運転の停止を指示する駆動部運転対応ステップを含む
ことを特徴とする請求項１０又は請求項１１に記載の稼働モニタ方法。
【請求項１３】
表示部を備えた通信端末により、駆動部及び前記駆動部の作動に応じて変化する第１物理量を検出する検出部を備えた電化製品の稼働状況をモニタするために実行されるプログラムであって、前記通信端末を、
所定時点における前記駆動部の運転状況と前記所定時点において前記検出部により検出された前記第１物理量とを示す所定時点第１情報を、取得する所定時点第１情報取得部と、
前記所定時点第１情報から認識した前記所定時点における前記駆動部の運転状況と前記第１物理量とを共に示す稼働モニタ画面を、前記表示部に表示する稼働モニタ画面表示部と
して機能させることを特徴とする稼働モニタ用プログラム。
【発明の詳細な説明】
【技術分野】
【０００１】
本発明は、稼働モニタ方法、及び稼働モニタ用プログラムに関する。
【背景技術】
【０００２】
従来、電化製品の稼働状況を、電化製品との間で通信を行う通信端末によってモニタする方法が提案されている（例えば、特許文献１参照）。特許文献１には、通信端末が、冷蔵庫から送信される庫内の収容室の温度検出情報を受信して、各収容室の温度を表示部に表示する構成が記載されている。
【先行技術文献】
【特許文献】
【０００３】
【特許文献１】特開２０１８−３６７４０号公報
【発明の概要】
【発明が解決しようとする課題】
【０００４】
上記特許文献１に記載された発明では、冷蔵庫の各室の検出温度から、冷蔵庫の大まかな運転状況を視認することができる。しかしながら、例えば、冷蔵庫の使用者が、収容した食品の冷えに不満を感じて、電化製品のサポートセンター等にメンテナンスを依頼したときに、冷蔵室の各室の温度だけでは、メンテナンス作業者が、冷えの弱さの原因が冷蔵庫の異常によるものなのか、使い方（扉の開閉頻度が高い等）によるものなのかを判断することが困難な場合がある。
本願はかかる背景に鑑みてなされたものであり、電化製品における異常の判断を支援することができる稼働モニタ方法、及び稼働モニタ用プログラムを提供することを目的とする。
【課題を解決するための手段】
【０００５】
前記従来の課題を解決するため、本発明の稼働モニタ方法は、駆動部及び前記駆動部の作動に応じて変化する第１物理量を検出する検出部を備えた電化製品の稼働状況を、表示部を備えた通信端末によりモニタする稼働モニタ方法であって、前記通信端末が、所定時点における前記駆動部の運転状況と前記所定時点において前記検出部により検出された前記第１物理量とを示す所定時点第１情報を取得する所定時点第１情報取得ステップと、前記通信端末が、前記所定時点第１情報から認識した前記所定時点における前記駆動部の運転状況と前記第１物理量とを共に示す稼働モニタ画面を、前記表示部に表示する稼働モニタ画面表示ステップとを実施するものである。
【０００６】
また、本発明の稼働モニタ用プログラムは、表示部を備えた通信端末により、駆動部及び前記駆動部の作動に応じて変化する第１物理量を検出する検出部を備えた電化製品の稼働状況をモニタするために実行されるプログラムであって、前記通信端末を、所定時点における前記駆動部の運転状況と前記所定時点において前記検出部により検出された前記第１物理量とを示す所定時点第１情報を、取得する所定時点第１情報取得部と、前記所定時点第１情報から認識した前記所定時点における前記駆動部の運転状況と前記第１物理量とを共に示す稼働モニタ画面を、前記表示部に表示する稼働モニタ画面表示部として機能させるものである。
【０００７】
これによって、電化製品の所在場所を訪問した通信端末の使用者（電化製品のメンテナンス作業者等）は、通信端末の表示部に表示される稼働モニタ画面により、駆動部の作動状況と、駆動部の作動に応じて変化する第１物理量を一目で確認することができる。そのため、使用者による電化製品の異常の判断を支援することができる。
【発明の効果】
【０００８】
本発明の稼働モニタ方法、及び稼働モニタ用プログラムによれば、通信端末の表示部に、所定時点における電化製品の駆動部の運転状況及び駆動部の運転に応じて変化する第１物理量を共に示す稼働モニタ画面を表示させることができる。これにより、電化製品の設置場所を訪問したメンテナンス作業者は、通信端末に表示される稼働モニタ画面により、同一時点における駆動部の運転状況と第１物理量を確認して、電化製品の全体的な運転状況を容易に把握することができる。そのため、使用者による電化製品の異常の判断を支援することができる。
【図面の簡単な説明】
【０００９】
【図１】家屋に設置された電化製品のメンテナンスを実施する状況の説明図
【図２】実施形態における電化製品である冷蔵庫の正面の外観図
【図３】冷蔵庫の側面からの断面による説明図
【図４】ファンによる冷蔵庫内の空気の流れの説明図
【図５】冷蔵庫の制御ブロック図
【図６】通信端末の制御ブロック図
【図７】稼働モニタ用プログラムによるメインルーチンのフローチャート
【図８】リアルタイム表示処理のフローチャート
【図９】稼働モニタ画面の説明図
【図１０】レイアウト表示画面の説明図
【図１１】リモート設定変更処理のフローチャート
【図１２】リモート設定変更画面の説明図
【図１３】メンテナンス支援処理のフローチャート
【図１４】メンテナンス支援画面の説明図
【図１５】分解要領の対応画面の説明図
【図１６】冷蔵室内の分解要領の対応画面の説明図
【図１７】サブ工程１の実行手順画面の説明図
【図１８】サブ工程２の実行手順画面の説明図
【図１９】エラーコードに対応した処置手順画面の説明図
【図２０】エラーコードに対応した処理手順のサブ工程１の実行手順画面の説明図
【発明を実施するための形態】
【００１０】
第１の発明は、駆動部及び前記駆動部の作動に応じて変化する第１物理量を検出する検出部を備えた電化製品の稼働状況を、表示部を備えた通信端末によりモニタする稼働モニタ方法であって、前記通信端末が、所定時点における前記駆動部の運転状況と前記所定時点において前記検出部により検出された前記第１物理量とを示す所定時点第１情報を取得する所定時点第１情報取得ステップと、前記通信端末が、前記所定時点第１情報から認識した前記所定時点における前記駆動部の運転状況と前記第１物理量とを共に示す稼働モニタ画面を、前記表示部に表示する稼働モニタ画面表示ステップと、を含んでいる。
第１の発明によれば、所定時点第１情報取得ステップにより、通信端末が、所定時点における電化製品の駆動部の運転状況と第１物理量とを示す所定時点第１情報を取得する。そして、通信端末は、稼働モニタ画面表示ステップにより、所定時点第１情報から認識した所定時点における駆動部の運転状況と第１物理量とを共に示す稼働モニタ画面を、表示部表示する。電化製品のメンテナンス作業者等の通信端末の使用者は、稼働モニタ画面により、同一時点における駆動部の運転状況と第１物理量を一目で確認することができる。そのため、使用者による電化製品の全体的な運転状況の把握を容易にして、異常の判断を支援することができる。
【００１１】
第２の発明は、第１発明において、前記通信端末が、第２物理量を検出して検出した前記第２物理量を示す検出情報を無線により送信する無線型検出器により、前記所定時点において検出された前記第２物理量を示す所定時点第２情報を取得する所定時点第２情報取得ステップを含み、前記稼働モニタ画面表示ステップにおいて、前記通信端末は、前記所定時点における前記駆動部の運転状況及び前記第１物理量と共に、前記所定時点第２情報から認識した前記所定時点における前記第２物理量を示す前記稼働モニタ画面を、前記表示部に表示する。
第２の発明によれば、同一時点における駆動部の運転状況及び第１物理量と無線型検出器により検出された第２物理量と、稼働モニタ画面に表示される。そのため、通信端末の使用者は、無線型検出器を、例えば駆動部の近傍等の第２物理量を測定したい箇所に無線型検出器を置くことにより、当該箇所の第２物理量を同時に確認することができる。これにより、電化製品の異常の判断をより容易にすることができる。
【００１２】
第３の発明は、第１の発明又は第２の発明において、前記稼働モニタ画面表示ステップにおいて、前記通信端末は、前記電化製品のレイアウトを示す前記稼働モニタ画面を前記表示部に表示し、前記レイアウトにおける前記駆動部の配置位置に前記駆動部の運転状況を示すと共に、前記レイアウトにおける前記検出部の検出箇所に前記検出部により検出された前記第１物理量を示す。
第３の発明によれば、稼働モニタ画面に電化製品のレイアウトが示され、レイアウトにおける駆動部の配置位置に駆動部の運転状況が示されると共に、レイアウトにおける検出部の検出箇所に検出部により検出された第１物理量が示される。これにより、稼働モニタ画面を視認した使用者は、電化製品の各部の状況を直感的に把握することができるため、異常を速やかに判断することができる。
【００１３】
第４の発明は、第１の発明から第３の発明のうちのいずれかにおいて、前記電化製品は複数の収容室を有する冷蔵庫であり、前記駆動部は、コンプレッサ、及び前記収容室に連通したダクトから前記収容室に冷気を送出するファンであり、前記検出部は、前記複数の収容室に個別に設けられて、前記第１物理量として温度を検出する温度センサであり、前記稼働モニタ画面表示ステップにおいて、前記通信端末は、前記所定時点における前記コンプレッサ及びファンの運転状況と、前記所定時点における前記収容室の温度とを、共に示す前記稼働モニタ画面を、前記表示部に表示する。
第４の発明によれば、通信端末の使用者は、稼働モニタ画面を視認することにより、同一時点におけるコンプレッサ及びファンの運転状況と各収容室の温度とを確認して、冷蔵庫の異常を判断することができる。
【００１４】
第５の発明は、第２の発明において、前記電化製品は複数の収容室を有する冷蔵庫であり、前記駆動部は、コンプレッサ、及び前記収容室に連通したダクトから前記収容室に冷気を送出するファンであり、前記検出部は、前記複数の収容室に個別に設けられて、前記第１物理量として温度を検出する温度センサであり、前記無線型検出器は、第２物理量として温度を検出する温度センサであり、前記稼働モニタ画面表示ステップにおいて、前記通信端末は、前記所定時点における前記コンプレッサ及び前記ファンの運転状態と、前記所定時点における前記収容室の温度と、前記所定時点における前記無線型検出器が置かれた箇所の温度とを、共に示す前記稼働モニタ画面を、前記表示部に表示する。
第５の発明によれば、通信端末の使用者は、無線型検出器を、冷蔵庫内或いは冷蔵庫の周囲の温度を確認した箇所に置くことにより、当該箇所の温度を、コンプレッサ及びファンと庫内の温度と共に、確認することができる。そのため、異常の判断をより詳細に行うことができる。
【００１５】
第６の発明は、第５の発明において、前記通信端末が、所定の正常運転判定開始条件が成立したときに、前記ファンによる前記ダクトから前記収容室への冷気の送出口付近に置かれた前記無線型検出器から送信される前記検出情報を繰り返し受信して、前記検出情報から認識した検出温度の変化に基づいて、前記冷蔵庫の正常運転を判定する正常運転判定ステップを含む。
第６の発明によれば、冷気の送出口付近に置かれた無線型検出器の検出温度の変化に基づいて、コンプレッサが作動して冷気が収容室に送出されていることを認識することができるため、冷蔵庫が正常に運転していることを速やかに判定することができる。
【００１６】
第７の発明は、第４の発明から第６の発明のうちのいずれかにおいて、前記冷蔵庫は、前記収容室の扉の開閉状態を検出する開閉センサを備え、前記所定時点第１情報は、前記所定時点において前記開閉センサにより検出された前記収容室の扉の開閉状態を含み、前記稼働モニタ画面表示ステップにおいて、前記通信端末は、前記所定時点第１情報から認識した、前記所定時点における前記コンプレッサ及び前記ファンの運転状態と、前記収容室の温度と、前記収容室の扉の開閉状態とを、共に示す前記稼働モニタ画面を、前記表示部に表示する。
第７の発明によれば、収容室の扉の開閉状態を示す稼働モニタ画面と、実際の冷蔵庫の扉の開閉状態とを確認することにより、開閉センサの故障を容易に判断することができる。
【００１７】
第８の発明は、前記稼働モニタ画面表示ステップにおいて、前記通信端末は、所定のテストモードによる前記電化製品の運転条件の変更指示を受付ける前記稼働モニタ画面を、前記表示部に表示し、前記通信端末が、前記テストモードによる前記電化製品の運転条件の変更指示を受付けたときに、前記電化製品に対して、前記テストモードによる前記電化製品の運転条件の変更を指示するテストモード対応ステップを含む。
第８の発明によれば、通信端末の使用者は、通信端末の操作によって、テストモードによる電化製品の運転条件を容易に変更することができる。
【００１８】
第９の発明は、前記稼働モニタ画面表示ステップにおいて、前記通信端末は、前記電化製品の運転パラメータの変更指示を受け付ける前記稼働モニタ画面を、前記表示部に表示し、前記通信端末が、前記電化製品の運転パラメータの変更指示を受付けたときに、前記電化製品に対して、前記運転パラメータの変更を指示する運転パラメータ変更ステップを含む。
第９の発明によれば、通信端末の使用者は、通信端末の操作によって、電化製品の運転パラメータを容易に変更することができる。
【００１９】
第１０の発明は、第１の発明から第９の発明のうちのいずれかにおいて、前記通信端末が、前記電化製品の機種情報を取得する機種情報取得ステップを含み、前記稼働モニタ画面表示ステップにおいて、前記通信端末は、前記機種情報から認識した前記電化製品の機種に対応したメンテナンス支援画面へのリンクを受け付けるメンテナンス対応受付部を表示する前記稼働モニタ画面を、前記表示部に表示し、前記通信端末が、前記メンテナンス対応受付部への受付要求操作に応じて、前記メンテナンス支援画面を前記表示部に表示するメンテナンス支援画面表示ステップを含む。
第１０の発明によれば、通信端末の使用者は、前記電化製品の異常を認識したときに、メンテナンス支援画面に切替えて、メンテナンスに必要な情報を容易に取得することができる。
【００２０】
第１１の発明は、第１０の発明において、前記メンテナンス支援画面表示ステップにおいて、前記通信端末は、前記機種情報から認識した前記電化製品の機種に関連した故障情報を表示する前記メンテナンス支援画面を、前記表示部に表示する。
第１１の発明によれば、通信端末の使用者は、メンテナンス支援画面により、機種に関連した故障情報を取得することにより、機種に特有な故障の要因及び対応処理を認識するおとができる。
【００２１】
第１２の発明は、第１０の発明又は第１１の発明において、前記メンテナンス支援画面表示ステップにおいて、前記通信端末は、前記駆動部の運転の開始又は停止指示を受け付ける前記メンテナンス支援画面を、前記表示部に表示し、前記通信端末が、前記メンテナンス支援画面の表示に応じて、前記駆動部の運転の開始又は停止を受付けたときに、前記電化製品に対して、運転の開始を受付けたときは運転の開始を指示し、運転の停止を受付けたときは運転の停止を指示する駆動部運転対応ステップを含む。
第１２の発明によれば、通信端末の使用者は、通信端末の操作により、駆動部の運転を開始又は停止させて、電化製品の状況を確認することができる。
【００２２】
第１３の発明は、表示部を備えた通信端末により、駆動部及び前記駆動部の作動に応じて変化する第１物理量を検出する検出部を備えた電化製品の稼働状況をモニタするために実行されるプログラムであって、前記通信端末を、所定時点における前記駆動部の運転状況と前記所定時点において前記検出部により検出された前記第１物理量とを示す所定時点第１情報を、取得する所定時点第１情報取得部と、前記所定時点第１情報から認識した前記所定時点における前記駆動部の運転状況と前記第１物理量とを共に示す稼働モニタ画面を、前記表示部に表示する稼働モニタ画面表示部として機能させる。
第１３の発明によれば、第１３の発明のプログラムを通信端末に実行させて、通信端末を所定時点第１情報取得部及び稼働モニタ画面表示部として機能させることにより、第１の発明と同様の効果を得ることができる。
【００２３】
以下、本発明の実施の形態について、図面を参照しながら説明する。なお、本実施の形態によって本発明が限定されるものではない。
【００２４】
［１．通信端末の使用態様］
図１は、本発明の稼働モニタ方法及び稼働モニタ用プログラムと、本発明のメンテナンス支援方法及びメンテナンス支援用プログラムとが実行される通信端末の使用態様を示している。本実施形態の通信端末４００は、タッチパネル４６０を備えたタブレット型の通信端末である。通信端末４００の使用者であるメンテナンス作業者ＰＳは、家屋Ｈを訪問して、冷蔵庫１（本発明の電化製品に相当する）のメンテナンス（点検、調整、修理等）を行う際に、通信端末４００を使用する。
【００２５】
冷蔵庫１は、冷蔵庫１の作動を制御するコントローラ１００と、冷蔵庫１の運転条件（運転パラメータ）の設定やエラーコードの表示等を行う操作パネル１５とを備えている。コントローラ１００は、冷蔵庫１に備えらえた駆動部（コンプレッサ、ファン、ダンパ等）の運転状況、及びセンサ（温度センサ、扉開閉センサ等）の検出信号を、定期的（例えば、数分〜数１０分毎）にモニタリングする。
【００２６】
そして、コントローラ１００は、モニタリングにより認識した現時点（本発明の所定時点に相当する）における駆動部の運転状況及びセンサによる検出温度と、モニタリングを行った時点とを示す現時点第１情報（本発明の所定時点第１情報に相当する）を、家屋Ｈに設置されたゲートウェイ５００（無線ＬＡＮルータ等）、及び通信ネットワーク５１０を介して、管理サーバー５２０に送信する。管理サーバ５２０は、現時点第１情報を受信して、稼働履歴データ５２１に追加して記録する。また、管理サーバ５２０には、冷蔵庫、洗濯機、テレビ、空調機器等の種々の電化製品に関する情報を、機種別に記録した機種別データ５２２が保存されている。
【００２７】
通信端末４００も、ゲートウェイ５００及び通信ネットワーク５１０を介して、管理サーバー５２０との間で通信を行い、稼働履歴データ５２１に記録された冷蔵庫１の稼働履歴情報を取得する。また、通信端末４００は、管理サーバ５２０から、冷蔵庫１の機種用の機種別データを取得する。また、通信端末４００は、無線により検出データを送信する無線温度センサ３００との間で無線通信を行って、無線温度センサ３００による検出温度の情報を取得する。
【００２８】
［２．冷蔵庫の構成］
図２〜図４を参照して、冷蔵庫１の構成について説明する。図２は冷蔵庫１の正面の外観を示した説明図である。図２に示したように、冷蔵庫１は、前面に開口した主箱体２を備え、主箱体２内には、冷蔵室１０、製氷室３０、新鮮凍結室４０、冷凍室５０、及び野菜室６０が形成されている。また、冷蔵室１０には、パーシャル／チルド切替室２０が配置されている。冷蔵室１０、パーシャル／チルド切替室２０、製氷室３０、新鮮凍結室４０、冷凍室５０、及び野菜室６０は、本発明の収容室に相当する。
【００２９】
冷蔵室１０の前面の開口部には、回転式の左ドア１１ａ及び右ドア１１ｂが設けられている。また、冷蔵室１０の左側の内壁には、冷蔵庫１の運転条件の変更、エラー表示等を行うための操作パネル１５が設けられている。製氷室３０、新鮮凍結室４０、冷凍室５０、及び野菜室６０には、それぞれ食品を収容する引出３１、４１、５１、及び６１が設けられている。
【００３０】
次に、図３は冷蔵庫１の庫内の構成を右側から見た断面により示した説明図である。冷蔵室１０には、左ドア１１ａの開閉状態を検出する左ドア開閉センサ１２ａと、右ドア１１ｂの開閉状態を検出する右ドア開閉センサ１２ｂとが設けられている。左ドア開閉センサ１２ａは、左ドア１１ａが閉まっているときは閉検出信号を出力し、左ドア１１ａ開いているときには開検出信号を出力する。同様に、右ドア開閉センサ１２ｂは、右ドア１１ｂが閉まっているときは閉検出信号を出力し、右ドア１１ｂが開いているときには開検出信号を出力する。
【００３１】
製氷室３０には、製氷室３０の開口部の開閉を検出する製氷室開閉センサ３２が設けられている。製氷室開閉センサ３２は、製氷室３０に引出３１が収容されているときは閉検出信号を出力し、製氷室３０から引出３１が引き出されているときには開検出信号を出力する。同様に、新鮮凍結室４０には、新鮮凍結室４０の開口部の開閉を検出する新鮮凍結室開閉センサ４２が設けられている。また、冷凍室５０には、冷凍室５０の開口部の開閉を検出する冷凍室開閉センサ５２が設けられ、野菜室６０には、野菜室６０の開口部の開閉を検出する野菜室開閉センサ６２が設けられている。新鮮凍結室開閉センサ４２、冷凍室開閉センサ５２、野菜室開閉センサ６２は、製氷室開閉センサ３２と同様に、閉検出信号と開検出信号を出力する。
【００３２】
冷蔵室１０には、冷蔵室１０内の温度を検出する冷蔵室温度センサ１３が設けられ、パーシャル／チルド切替室２０には、パーシャル／チルド切替室２０内の温度を検出する切替室温度センサ２３が設けられている。製氷室３０には、製氷室３０内の温度を検出する製氷室温度センサ３３が設けられ、新鮮凍結室４０には、新鮮凍結室４０内の温度を検出する新鮮凍結室温度センサ４３が設けられている。冷凍室５０には、冷凍室５０内の温度を検出する冷凍室温度センサ５３が設けられ、野菜室６０には、野菜室６０内の温度を検出する野菜室温度センサ６３が設けられている。
【００３３】
上機械室７０には、圧縮機７１、凝縮器７２、及び機械室ファン７３が配置されている。ダクト７５に配置された蒸発器７４は、図示しない冷媒路により圧縮機７１及び凝縮器７２と接続されて、冷凍サイクルを構成する。ダクト７５には、蒸発器７４により冷却された空気（冷気）を、ダクト７５に複数設けられた冷気吐出口７９から、冷蔵室１０、パーシャル／チルド切替室２０、製氷室３０、新鮮凍結室４０、冷凍室５０、及び野菜室６０に送出する冷却ファン７６が設けられている。
【００３４】
さらに、ダクト７５には、新鮮凍結室４０に冷気を送出する新鮮凍結室ファン７７と、蒸発器７８の温度を検出する霜取温度センサ７８とが設けられている。下機械室８０には、蒸発皿８１と、蒸発皿ファン８２とが設けられている。図３では、冷蔵室１０の冷気吐出口７９の付近に、無線温度センサ３００が置かれた例を示している。このように、無線温度センサ３００を、温度を確認したい任意に箇所に置くことにより、後述するように、任意の箇所の温度を通信端末４００で確認することができる。
【００３５】
次に、図４は、ファンによる冷蔵庫１内の空気の流れの説明図である。冷却室９５において蒸発器７４で冷却された空気は、冷却ファン７６により、ダクト７５から冷蔵室１０、パーシャル／チルド切替室２０、製氷室３０、新鮮凍結室４０、冷凍室５０、及び野菜室６０に送出される。また、新鮮凍結室４０については、新鮮凍結室ファン７７によっても、ダクト７５から冷気が送出される。
【００３６】
ダクト７５には、開閉により冷気の供給量を調節するためのダンパとして、冷蔵室１０への冷気の供給量を調節する冷蔵室ダンパ９０、パーシャル／チルド切替室２０への冷気の供給量を調節するパーシャル／チルド切替室ダンパ９１、野菜室６０への冷気の供給量を調節する野菜室ダンパ９２、及び冷凍室５０への冷気の供給量を調節する冷凍室ダンパ９３が設けられている。
【００３７】
冷却室９５からダクト７５を介して冷蔵室１０、パーシャル／チルド切替室２０、製氷室３０、新鮮凍結室４０、冷凍室５０、及び野菜室６０に供給された冷気は、図示しないリターンダクトを通って冷却室に戻る。
【００３８】
上機械室７０において、機械室ファン７３が左側の通気孔から外気を吸込んで凝縮器７２と圧縮機７１を冷却し、排熱を右側の通気孔から排出する。下機械室８０において、蒸発皿ファン８２が左側の通気孔から外気を吸込んで、霜取り水の蒸発促進と図示しない蒸発皿パイプを冷却し、排熱を右側の通気孔から排出する。
【００３９】
［３．冷蔵庫の制御ブロック］
図５は、冷蔵庫１の制御ブロック図である。コントローラ１００は、ＣＰＵ１１０、メモリ１３０、通信部１４０、及び日時認識部１４１等により構成された電子回路ユニットである。コントローラ１００は、操作パネル１５と接続され、操作パネル１５の操作信号がコントローラ１００に入力されると共に、コントローラ１００から出力される制御信号により操作パネルの表示が制御される。
【００４０】
コントローラ１００には、温度センサ１３，２３，３３，４３，５３，６３，１７の温度検出信号と、開閉センサ１２ａ，１２ｂ，３２，４２，５２，６２の開閉検出信号とが入力される。また、コントローラ１００から出力される制御信号により、圧縮機７１、ファン７３，７６，７７，８２、及びダンパ９０，９１，９２，９３の作動が制御される。
【００４１】
通信部１４０は、無線により、通信ネットワーク５１０を介して管理サーバ５２０との間で通信を行う。また、通信部１４０は、無線により、通信ネットワーク５１０を介して、或いは直接、通信端末４００との間で通信を行う。通信ネットワーク５１０を介した無線通信は、Ｗｉ−Ｆｉ（登録商標）等により行われる。通信端末４００との直接の無線通信は、Ｗｉ−Ｆｉダイレクト、Ｂｌｕｅｔｏｏｔｈ（登録商標）等により行われる。日時認識部１４１は、現在の日時を計数して現在の日時を示す日時情報をＣＰＵ１１０に出力する。
【００４２】
ＣＰＵ１１０は、メモリ１３０に保存された冷蔵庫制御用プログラム１３１を実行することにより、主制御部１１１、メンテナンス対応部１１２、及び稼働履歴保存部１１３として機能する。主制御部１１１は、冷蔵庫１の温度センサ１３，２３，３３，４３，５３，６３から出力される温度検出信号から、冷蔵室１０、パーシャル／チルド切替室２０、製氷室３０、新鮮凍結室４０、冷凍室５０、及び野菜室６０の温度を認識する。
【００４３】
そして、主制御部１１１は、認識した温度に基づいて、圧縮機７１、ファン７３，７６，７７，８２、及びダンパ９０，９１，９２，９３の作動を制御することにより、冷蔵室１０、パーシャル／チルド切替室２０、製氷室３０、新鮮凍結室４０、冷凍室５０、及び野菜室６０の温度を制御する。
【００４４】
メンテナンス対応部１１２は、操作パネル１５の操作に応じて、テストモード及びサービスモードによる処理を行う。メンテナンス対応部１１２は、テストモードにおいては、製氷、圧縮機７１の回転数、その他制御の確認テストを実行する。また、サービスモードにおいて、メンテナンス対応部１１２は、温度センサ１３，２３，３３，４３，５３，６３による検出温度、圧縮機７１の作動周波数、圧縮機７１の運転積算時間等を、操作パネル１５の表示部に表示する。
【００４５】
また、メンテナンス対応部１１２は、通信端末４００から送信されるリアルタイムモニタ開始情報を受信したときに、現時点における冷蔵庫１の運転状況を示す現時点第１情報を、通信端末４００に送信する。現時点第１情報には、現時点（測定時点）の日時、現時点における、温度センサによる検出温度、開閉センサ１２ａ，１２ｂ，３２，４２，５２，６２により検出された各室の開閉状況、圧縮機７１の運転状況、ファン７３，７６，７７，８２の運転状況、ダンパ９０，９１，９２，９３の開閉状態等の情報が含まれる。
【００４６】
稼働履歴保存部１１３は、所定のモニタリング周期（例えば、数分〜数１０分毎）により、現時点における、温度センサ１３，２３，３３，４３，５３，６３による検出温度、開閉センサ１２ａ，１２ｂ，３２，４２，５２，６２により検出された各室の開閉状況、圧縮機７１の運転状況、ファン７３，７６，７７，８２の運転状況等を認識する。そして、稼働履歴保存部１１３は、認識した情報と測定時点を示す稼働モニタ情報を、通信部１４０を介して管理サーバ５２０に送信する。なお、直近の過去数日の稼働履歴については、メモリ１３０にも保存するようにしてもよい。
【００４７】
［４．通信端末の構成］
図６を参照して、通信端末４００の構成について説明する。通信端末は４００は、制御ユニット４１０、通信部４５０、スピーカー４５１、タッチパネル４６０、及び記憶部４７０を備えている。
【００４８】
制御ユニット４１０は、ＣＰＵ（Central Processing Unit）４２０、メモリ４３０、及び図示しないインターフェース回路等により構成された電子回路ユニットである。ＣＰＵ４２０は、メモリ４３０に保存された稼働モニタ用プログラム４３１を実行することにより、稼働モニタ制御部４２１として機能する。また、ＣＰＵ４２０は、メモリ４３０に保存されたメンテナンス支援用プログラム４３２を実行することにより、メンテナンス支援制御部４２２として機能する。
【００４９】
制御ユニット４１０は、通信部４５０、スピーカー４５１、タッチパネル４６０、及び記憶部４７０と接続されている。通信部４５０は、無線により、通信ネットワーク５１０を介して管理サーバ５２０との間で通信を行い、冷蔵庫１及び無線温度センサ３００との間で直接的に通信する。タッチパネル４６０は、液晶パネル等により構成されたフラットパネル型の表示器４６１と、表示器４６１の表面を覆って配置されたタッチスイッチ４６２とを備えている。表示器４６１は、制御ユニット４１０から出力される画像制御信号に応じて、種々の画面を表示する。タッチスイッチ４６２は、メンテナンス作業者ＰＳ等によるタッチ操作に応じた操作信号を制御ユニット４１０に入力する。
【００５０】
メンテナンス支援制御部４２２は、メンテナンス作業者ＰＳによるタッチスイッチ４６２の操作に応じて、管理サーバ５２０との通信により、冷蔵庫１の機種用の機種別情報４８０を取得して、記憶部４７０に保存する。同様にして、メンテナンス対応部１１２は、他の電化製品についての機種別データ４８０ｂ、４８０ｃ、…、をメンテンナンス作業者ＰＳによる操作に応じて、管理サーバ５２０から取得する。
【００５１】
機種別データ４８０ａには、冷蔵庫１の機種で生じ得る不具合を解消するための対応処置を示す不具合対処データ４８１ａ、対応処置の手順を示す作業手順データ４８２ａ、及び対応処置の手中を動画により説明した作業動画データ４８３ａ等が含まれる。機種別データ４８０ｂ、４８０ｃ、…、についても同様である。
【００５２】
［５．通信端末による処理］
通信端末４００の制御ユニット４１０は、メンテナンス作業者ＰＳが稼働モニタアプリを起動したときに、ＣＰＵ４２０により、稼働モニタ用プログラム４３１及びメンテナンス支援用プログラム４３２を実行する。そして、冷蔵庫１の機種が選択された場合に、稼働モニタ制御部４２１及びメンテナンス支援制御部４２２は、図７に示したフローチャートによる処理を実行する。
【００５３】
図７のステップＳ１で、稼働モニタ制御部４２１は、冷蔵庫１との間で無線通信を確立する。そして、稼働モニタ制御部４２１は、続くステップＳ２〜Ｓ５のループを繰り返し実行する。ステップＳ２で、稼働モニタ制御部４２１は、図９に示した稼働モニタ画面ＷＭ０を、タッチパネル４６０の表示器４６１に表示する。稼働モニタ制御部４２１が稼働モニタ画面ＷＭ０及び後述する稼働モニタ画面ＷＭ１，ＷＭ２を表示器４６１に表示する処理は、本発明の稼働モニタ表示ステップに相当する。
【００５４】
図９を参照して、稼働モニタ画面ＷＭ０には、冷蔵庫１の機種及び製造番号を示す機種表示部７００、後述するメンテナンス支援画面への切替えを指示するためのメンテナンスボタン７０１、後述するイラストモニタ画面への切替えを指示するためのグラフ／イラスト切替ボタン７０２、現時点からの運転状況の表示を指示するためのリアルタイムデータ取得ボタン７０３、後述するリモート設定変更画面への切替を指示するためのリモート設定変更ボタン７０４、及び表示対象を選択するための表示対象選択ボタン７０５が表示される。
【００５５】
次のステップＳ３で、メンテナンス作業者ＰＳがリアルタイムデータ取得ボタン７０３にタッチして、「リアルタイムデータ取得」の選択操作を行ったときに、稼働モニタ制御部４２１は、ステップＳ１００に処理を進めて「リアルタイム表示処理」を実行する。また、ステップＳ４で、メンテナンス作業者ＰＳがリモート設定変更ボタン７０４にタッチして、「リモート設定変更」の選択操作を行ったときに、稼働モニタ制御部４２１は、ステップＳ２００に処理を進めて「リモート設定変更処理」を実行する。また、ステップＳ５で、メンテナンス作業者ＰＳがメンテナンスボタン７０１にタッチして、「メンテナンス支援」の選択操作を行ったときに、稼働モニタ制御部４２１は、ステップＳ３００に処理を進めて「メンテナンス支援処理」を実行する。
【００５６】
［６．リアルタイム表示処理］
図８に示したフローチャートに従って、「リアルタイム表示処理」の実行手順について説明する。図８のステップＳ１０１で、稼働モニタ制御部４２１は、冷蔵庫１から、現時点における駆動部の運転状況と検出状況とを示す現時点第１情報を取得する。駆動部には、圧縮機７１、機械室ファン７３、冷却ファン７６、新鮮凍結室ファン７７、蒸発皿ファン８２、冷蔵室ダンパ９０、パーシャル／チルド切替室ダンパ９１、野菜室ダンパ９２、及び冷凍室ダンパ９３が含まれる。ステップＳ１０１の処理は、本発明の所定時点第１情報取得ステップに相当する。
【００５７】
検出状況には、冷蔵室温度センサ１３、切替室温度センサ２３、製氷室温度センサ３３、新鮮凍結室温度センサ４３、冷凍室温度センサ５３、及び野菜室温度センサ６３の検出温度が含まれる。さらに、検出状況には、左ドア開閉センサ１２ａ、右ドア開閉センサ１２ｂ、製氷室開閉センサ３２、新鮮凍結室開閉センサ４２、冷凍室開閉センサ５２、及び野菜室開閉センサ６２により検出された開閉状態が含まれる。
【００５８】
続くステップＳ１０２で、稼働モニタ制御部４２１は、無線温度センサ３００との間で無線通信が確立されているか否かを判断する。なお、通信端末４００と無線温度センサ３００との間の通信確立は、無線温度センサ３００の電源が入れられたときに、自動的に行うようにしてもよく、メンテナンス作業者ＰＳによる接続操作によって行うようにしてもよい。
【００５９】
そして、稼働モニタ制御部４２１は、通信端末４００と無線温度センサ３００との間の通信が確立しているときは、ステップＳ１１０に処理を進める。一方、通信端末４００と無線温度センサ３００との間の通信が確立していないときには、稼働モニタ制御部４２１は、ステップＳ１０３に処理を進める。ステップＳ１１０で、稼働モニタ制御部４２１は、無線温度センサ３００から、現時点の無線温度センサ３００による検出温度を示す現時点第２情報を受信して、ステップＳ１０３に処理を進める。ステップＳ１１０の処理は、本発明の所定時点第２情報取得ステップに相当する。
【００６０】
ステップＳ１０３で、稼働モニタ制御部４２１は、図９に示したように、リアルタイムデータ取得情報７１０を表示する。リアルタイムデータ取得情報７１０は、「リアルタイム表示処理」を開始した時点からの温度センサの検出温度の推移を示す温度推移グラフ７１１と、駆動部の運転状況を示す運転状況グラフ７１２とを表示する。
【００６１】
図９では、温度推移グラフ７１１に、外気温（外気温度センサ１７の検出温度）、霜取センサ温度、冷凍室温度（冷凍室温度センサ５３の検出温度、図９ではＦＣ温度と表示）、野菜室温度（野菜室温度センサ６３の検出温度、図９ではＶＣ温度と表示）、冷蔵室温度（冷蔵室温度センサ１３の検出温度、図９ではＰＣ温度と表示）を表示している例を示している。温度推移グラフ７１１に示される温度は、表示対象選択ボタン７０５により選択される表示対象（全室情報、冷蔵室、製氷室、冷凍室、野菜室のうちのいずれか）。また、稼働モニタ制御部４２１は、ステップＳ１１０で現時点第２情報を取得した場合は、無線温度センサ３００による検出温度も、温度推移グラフ７１１に合わせて表示する。
【００６２】
運転状況グラフ７１２は、圧縮機７１、冷却ファン７６（図９ではＦＣファンと表示）、冷凍室ダンパ９３（図９ではＦＣダンパと表示）の運転状況を表示している例を示している。なお、稼働モニタ制御部４２１は、運転状況グラフ７１２のスクロール操作に応じて、機械室ファン７３、新鮮凍結室ファン７７、蒸発皿ファン８２、冷蔵室ダンパ９０、パーシャル／チルド切替室ダンパ９１、及び野菜室ダンパ９２の運転状況も同様に表示する。
【００６３】
稼働モニタ制御部４２１は、ステップＳ１０４で、メンテナンス作業者ＰＳによる測定終了操作があったとき、或いはステップＳ１０５で、測定期間が終了したときに、ステップＳ１０６に処理を進めて「リアルタイム表示処理」終了する。
【００６４】
稼働モニタ制御部４２１は、メンテナンス作業者ＰＳによりグラフ／イラスト切替ボタン７０２が操作されたときに、稼働モニタ画面ＷＭ０を、図１０に示した稼働モニタ画面ＷＭ１に切替える。稼働モニタ画面ＷＭ１には、冷蔵庫１の正面レイアウト７２０ａと、冷蔵庫１の右側面レイアウト７２０ｂとが示される。
【００６５】
正面レイアウト７２０ａには、操作パネル１５による運転条件の設定状態と、表示部の表示状態７２６を示す操作パネル状態表示部７２１が示される。また、正面レイアウト７２０ａの冷蔵室１０の箇所に、左ドア１１ａ及び右ドア１１ｂの開閉状態７３０が示され、製氷室３０の箇所に製氷室３０の開閉状態７３１が示され、新鮮凍結室４０の箇所に新鮮凍結室４０の開閉状態７３２が示される。また正面レイアウト７２０ａの冷凍室５０の箇所に冷凍室５０の開閉状態７３３が示され、野菜室６０の箇所に野菜室６０の開閉状態７３４が示される。
【００６６】
さらに、稼働モニタ制御部４２１は、管理サーバ５２０の稼働履歴データ５２１から冷蔵庫１の稼働履歴データを取得して、直近の過去３日間の冷蔵室１０の開閉回数７４０、製氷室３０の開閉回数と時間及び製氷回数７４１、新鮮凍結室４０の開閉回数と時間７４２、冷凍室５０の開閉回数と時間７４３、及び現時点の外気温７４４を、正面レイアウト７２０ａに表示する。
【００６７】
右側面レイアウト７２０ｂには、機械室ファン７３の配置位置に機械室ファン７３の運転状態７６０が表示され、圧縮機７１の配置位置に圧縮機７１の運転状態７６１が表示され、新鮮凍結室ファン７７の配置位置に新鮮凍結室ファン７７の運転状態７６２が表示され、冷却ファン７６の配置位置に冷却ファン７６の運転状態７６３が表示され、蒸発皿ファン８２の配置位置に蒸発皿ファン８２の運転状態が表示される。
【００６８】
さらに、右側面レイアウト７２０ｂには、冷蔵室１０の配置位置に冷蔵室温度センサ１３の検出温度７５０が示され、パーシャル／チルド切替室２０の配置位置に切替室温度センサ２３の検出温度７５１が示され、新鮮凍結室４０の配置位置に新鮮凍結室温度センサ４３の検出温度７５２が示される。また、右側面レイアウト７２０ｂには、冷凍室５０の配置位置に冷凍室温度センサ５３の検出温度７５３が示され、野菜室６０の配置位置に野菜室温度センサ６３の検出温度７５４が示され、霜取温度センサ７８の配置位置に霜取温度センサ７８の検出温度７５５が示される。
【００６９】
さらに、右側面レイアウト７２０ｂには、外気温度センサ１７の配置位置に外気温度センサ１７の検出温度７５６が示され、正面レイアウト７２０ａと右側面レイアウト７２０ｂの間に、無線温度センサ３００の検出温度７５７が示される。
【００７０】
このように、稼働モニタ画面ＷＭ１には、正面レイアウト７２０ａに、左ドア開閉センサ１２ａ、右ドア開閉センサ１２ｂ、製氷室開閉センサ３２、新鮮凍結室開閉センサ４２、冷凍室開閉センサ５２、及び野菜室開閉センサ６２により検出された現時点の開閉状態７３０、７３１、７３２、７３３、７３４が、各開閉センサの検出対象位置に示される。
【００７１】
また、右側面レイアウト７２０ｂには、冷蔵室温度センサ１３、切替室温度センサ２３、新鮮凍結室温度センサ４３、冷凍室温度センサ５３、野菜室温度センサ６３、外気温度センサ１７、及び霜取温度センサ７８による現時点の検出温度７５０、７５１、７５２、７５３、７５４、７５５、７５６が、各温度センサの検出対象位置に示される。さらに、右側面レイアウト７２０ｂには、現時点における、機械室ファン７３、圧縮機７１、冷却ファン７６、新鮮凍結室ファン７７、及び蒸発皿ファン８２の運転状態（運転／停止）７６０，７６１，７６２，７６３，７６４が、各駆動部の配置位置に示される。また、稼働モニタ画面ＷＭ１には、無線温度センサ３００による現時点の検出温度７５７が示される。
【００７２】
そのため、メンテナンス作業者ＰＳは、稼働モニタ画面ＷＭ１により、現時点における冷蔵庫１の各部の温度、各室の開閉状態、駆動部の運転状況、無線温度センサ３００を置いた箇所の温度を、容易に視認して、冷蔵庫１の全体的な運転状況を確認することができる。これにより、メンテナンス作業者ＰＳによる冷蔵庫１の異常の判断を支援することができる。さらに、メンテナンス作業者ＰＳは、例えば、使用者ＰＵが冷蔵庫１の冷えが弱いと感じている場合に、稼働モニタ画面ＷＭ１を冷蔵庫１の使用者ＰＵを見せて、冷蔵庫１の実際の運転状況を説明することができる。これにより、メンテナンス作業者ＰＳは、冷えが弱い原因が、冷蔵庫１の異常ではなく、庫内の商品の配置状態であること、或いはドアの開閉頻度が多いことであること等を、使用者ＰＵに説明することができる。
【００７３】
また、無線温度センサ３００との通信た確立されている場合に、稼働モニタ制御部４２１が、冷蔵庫１の運転を開始した時点からの無線温度センサ３００の検出温度の低下度合に基づいて冷蔵庫１の正常運転を判定し、判定結果を表示器４６１に表示するようにしてもよい。この構成によれば、メンテナンス作業者ＰＳは、無線温度センサ３００をダクト７５の冷気吐出口７９付近に置くことにより、冷蔵庫１の正常運転を速やかに確認することができる。この正常運転の判定処理は、本発明の正常運転判定ステップに相当する。
【００７４】
［７．リモート設定変更処理］
図１１に示したフローチャートに従って、「リモート設定変更処理」の実行手順について説明する。図１１のステップＳ２０１で、稼働モニタ制御部４２１は、図１２に示したように、冷蔵庫１の運転条件を変更するための操作員設定メニュー７７０と、冷蔵庫１のテストモードにおける条件を変更するためのテストモードメニュー７７１とを示す稼働モニタ画面ＷＭ２を、表示器４６１に表示する。
【００７５】
操作員設定メニュー７７０には、最高回転数切替（低騒音）モード、最低回転数切替（低振動）モード、冷蔵室温調補正、パイプヒータ通電率変更、パーシャルチルド室温調補正、冷蔵室青色ＬＥＤ消灯、電子音音量切替設定、エコナビ停止、湿度センサ通電率補正無効化、蒸発皿ファン電圧固定、パーシャルＬＥＤ白色点灯、及び野菜室湿度センサ補正無効化の各パラメータ（運転条件）を変更するためのボタンが示される。テストモードメニュー７７１には、冷蔵室温度、パーシャル／チルド室温度、冷凍室・新鮮凍結室・製氷室温度、及び製氷停止設定のテストモードにおける各パラメータを設定するためのボタンが示される。
【００７６】
次のステップＳ２０２で、稼働モニタ制御部４２１は、操作員設定メニュー７７０、又はテストモードメニュー７７１のいずれかのボタンがタッチされたことを認識したときに、ステップＳ２１０に処理を進める。ステップＳ２１０で、稼働モニタ制御部４２１は、タッチ操作により選択されたパラメーの変更用のポップアップ画面を表示する。図１２では、「最高回転数切替（低騒音）モード」が選択された場合のポップアップ画面７７２を例示している。メンテナンス作業者ＰＳは、ポップアップ画面７７２をタッチ操作して、最高回転数切替（低騒音）モードのＯＮ（有効）とＯＦＦ（無効）を切替えることができる。
【００７７】
続くステップＳ２１１で、稼働モニタ制御部４２１は、ポップアップ画面７７２に対するメンテナンス作業者ＰＳの転送の操作に応じて、パラメータ設定の変更を指示するパラメータ変更情報を冷蔵庫１に送信し、ステップＳ２０３に処理を進める。冷蔵庫１においては、パラメータ変更情報を受信したコントローラ１００のメンテナンス対応部１１２が、パラメータ変更情報に応じてパラメータの設定を変更する。
【００７８】
ステップＳ２０３で、稼働モニタ制御部４２１は、戻るスイッチ７７２のタッチ操作による終了指示がなされたか否を判断する。そして、終了指示がなされたときにステップＳ２０４に処理を進めて「リモート設定変更処理」を終了して、図７のメインルーチンの処理に戻る。「リモート設定変更処理」により、テストモードにおける各パラメータを設定する処理は、本発明のテストモード対応ステップに相当する。また、「リモート設定変更処理」により、冷蔵庫１の運転パラメータを変更する処理は、本発明の運転パラメータ変更ステップに相当する。
【００７９】
［８．メンテナンス支援処理］
図１３に示したフローチャートに従って、「メンテナンス支援処理」の実行手順について説明する。メンテナンス支援制御部４２２は、図１３のステップＳ３０１で、図１４に示したメンテナンス支援画面ＭＳ０を、表示器４６１に表示する。メンテナンス支援制御部４２２が、メンテナンス支援画面ＭＳ０及び後述するメンテナンス支援画面ＭＳ１〜ＭＳＭＳ６を表示器４６１に表示する処理は、本発明のメンテナンス支援画面表示ステップに相当する。
【００８０】
図１４を参照して、メンテナンス支援画面ＭＳ０には、メンテナンスメニュー８００が示される。メンテナンスメニュー８００は、修理作業上の注意８０１、エラーコード一覧８０２、分解・組み立て要領８０３、サービスモード８０４、概要８０５、設置方法８０６、回路図８０７、機種別関連ニュース８０８、症状別故障診断８０９、部品展開図・価格表８１０、テストモード８１１、技術解説８１２、取り扱い操作方法８１３、外形寸法図８１４、及びＱＳ実践テキスト８１５の各項目ボタンを含んでいる。
【００８１】
続くステップＳ３０２で、メンテナンス支援制御部４２２は、メンテナンスメニュー８００の項目ボタン８０１〜８１５のいずれかが、タッチ操作により選択されたか否かを判断する。そして、メンテナンス支援制御部４２２は、いずれかの項目ボタンが選択されたときはステップＳ３１０に処理を進め、項目ボタンが操作されていないときにはステップＳ３０３に処理を進める。
【００８２】
ステップＳ３１０で、メンテナンス支援制御部４２２は、選択された項目ボタンに対応したメンテナンス支援画面を、表示器４６１に表示する。例えば、分解・組み立て要領８０３の項目ボタンが選択された場合、メンテナンス支援制御部４２２は、図１５に示したメンテナンス支援画面ＭＳ１を、表示器４６１に表示する。
【００８３】
分解・組み立て要領８０３に対応したメンテナンス支援画面ＭＳ１には、冷蔵庫１のドアの配置を示すドア配置図８２０、冷蔵庫１の庫内の配置を示す庫内配置図８２１、冷蔵庫１の天面を示す天面図８２２、及び冷蔵庫１の機械室の配置を示す機械室配置図８２３が含まれる。
【００８４】
ドア配置図８２０について、メンテナンス作業者ＰＳは、タッチ操作により、冷蔵室左ドアＰＣＬ、冷蔵室右ドアＰＣＲ、製氷室ドアＩＣ、新鮮凍結室ドアＳＣ、冷凍室ドアＦＣ、及び野菜室ドアＶＣのいずれかを選択することができる。また、庫内配置図８２１について、メンテナンス作業者ＰＳは、タッチ操作により、冷蔵室庫内、製氷／新鮮凍結／冷凍室庫内、及び野菜室庫内のいずれかの箇所を選択することができる。
【００８５】
さらに、天面図８２２について、メンテナンス作業者ＰＳは、タッチ操作により天面を選択することができる。また、機械室配置図８２３について、メンテナンス作業者ＰＳは、タッチ操作により、上機械室、及び下機械室のいずれかの箇所を選択することができる。
【００８６】
メンテナンス支援制御部４２２は、メンテナンス作業者ＰＳが、ドア配置図８２０、庫内配置図８２１、天面図８２２、及び機械室配置図８２３のいずれかを操作して、いずれかの箇所を選択したときに、図１６に示したように、選択された箇所に配置された部品を分解工程に従ってツリー表示した部品ツリー８３０を示すメンテナンス支援画面ＭＳ２を、表示器４６１に表示する。
【００８７】
図１６では、メンテナンス作業者ＰＳが、庫内配置図８２１について冷蔵室庫内を選択した場合を例示しており、「１．パーシャルチルドドア」を起点として、「２．パーシャルプレートトップ」、「３．プレートダクトＡＳ」、…というように、各構成部品が分解工程の段階に従ってツリー化して表示されている。
【００８８】
メンテナンス作業者ＰＳは、部品ツリー８３０に表示された部品の中から、メンテナンスを行う部品をタッチ操作により選択することができる。図１６は、「６．インジェクトチューブＡＳ」が選択された状態を示しており、この選択に応じて、メンテナンス支援制御部４２２は、図１６に示した部品ツリー８３０により示される部品の構成状態に基づいて、インジェクトチューブＡＳの交換作業に含まれるサブ工程として、「１．パーシャルチルドドア」、「２．パーシャルプレートトップ」、「３．プレートタンクサイドＡＳ」、「４．プレートダクトＡＳ」、「５．カバープレートタンク」、及び「６．インジェクトチューブＡＳ」を抽出する。
【００８９】
そして、メンテナンス支援制御部４２２は、図１７に示したように、抽出したサブ工程を一覧表示したサブ工程一覧８４０を示すメンテナンス支援画面ＭＳ３を、表示器４６１に表示する。サブ工程一覧８４０には、サブ工程１〜６の表示エリア８４１〜８４６が表示される。メンテナンス作業者ＰＳは、サブ工程１〜６の表示エリア８４１〜８４６のいずれかをタッチ操作することによって、作業手順を表示させるサブ工程を選択することができる。
【００９０】
図１７は、サブ工程１が選択されている状態を例示しており、メンテナンス支援制御部４２２は、記憶部４７０に保存された冷蔵庫１の機種用の作業手順データ４８２ａを参照して、サブ工程１に対応付けられた作業手順のデータ（作業手順の説明文、及び作業動画のデータ）を取得する。そして、メンテナンス支援制御部４２２は、サブ工程１の表示エリア８３１を拡大して、サブ工程１（パーシャルチルドドア）の作業手順の説明文８４１ａと、動画エリア８４１ｂとを表示する。メンテナンス支援制御部４２２は、メンテナンス作業者ＰＳによる動画エリア８４１ｂのタッチ操作に応じて、サブ工程１の作業動画を再生する。
【００９１】
また、図１８は、サブ工程６（インジェクトチューブＡＳ）が選択された状態のメンテナンス支援画面ＭＳ４を例示している。図１８では、メンテナンス支援制御部４２２は、サブ工程６の表示エリア８４６を拡大して、サブ工程６の作業手順の説明文８４６ａと、動画エリア８４６ｂとを表示する。メンテナンス支援制御部４２２は、メンテナンス作業者ＰＳによる動画エリア８４６ｂのタッチ操作に応じて、サブ工程６の作業動画を再生する。
【００９２】
このように、メンテナンス作業者ＰＳは、対応処置がいくつかのサブ工程に分かれる場合に、作業手順を知りたいサブ工程を選択して、説明部及び説明動画を視認することができる。そのため、対応処置の全ての作業手順を一括して説明文及び説明動画で出力する場合に比べて、メンテナンス作業者ＰＳは、知りたいサブ工程の作業手順のみを効率良く視認して、速やかにメンテナンス作業を行うことができる。
【００９３】
次に、図１４に示したメンテナンス支援画面ＭＳ０のメンテナンスメニュー８００で、メンテナンス作業者ＰＳが、エラーコード一覧８０２を選択して、エラーコード「Ｈ２１］を選択した場合、メンテナンス支援制御部４２２は、図１９に示したメンテナンス支援画面ＭＳ５を、表示器４６１に表示する。
【００９４】
メンテナンス支援画面ＭＳ５には、エラーコード「Ｈ２１」に対応した症状８５０（ここでは「アイスメカ異常」）、エラーの検出条件８５１（ここでは「製氷モータ回転異常」）、３つの対応処置８５２〜８５４、及び対応処置を選択するための選択ボタン８６０が示される。そして、メンテナンス作業者ＰＳが、いずれかの選択ボタン８６０を選択したときに、選択された対応処置の詳細を表示する。
【００９５】
図２０は、３つの対応処置のうち、「処置（２） アイスメカＡＳ交換」が選択された場合のメンテナンス支援画面ＭＳ６を示しており、メンテナンス支援制御部４２２は、処置（１）〜処置（３）の表示エリア８５２〜８５４のうち、選択された処置（２）の表示エリア８５２を拡大して、処置（２）の作業手順を表示する。
【００９６】
「処置（２） アイスメカＡＳ交換」には、「サブ工程１ 製氷室・新鮮凍結ルームドア」、「サブ工程２ アイスメーカ（アイスプレートトップ）」、及び「サブ工程３ アイスメカＡＳ」という３つのサブ工程が含まれている。そこで、メンテナンス支援制御部４２２は、３つのサブ工程の表示エリア８６１〜８６３を表示する。
【００９７】
メンテナンス作業者ＰＳは、３つのサブ工程の表示エリア８６１〜８６３のいずれかを選択することができ、メンテナンス支援制御部４２２は、この選択に応じて、選択された表示エリアを拡大して作業手順情報を表示する。図２０では、「サブ工程１ 製氷室ドア・新鮮凍結ルームドア」が選択された場合を示しており、メンテナンス支援制御部４２２は、サブ工程１の表示エリア８６１を拡大して、サブ工程１の作業手順の説明文８６１ａと動画エリア８６１ｂを表示している。
【００９８】
メンテナンス支援制御部４２２は、メンテナンス作業者ＰＳが作業動画の再生指示（動画エリア８６１ｂのタッチ操作）があったときに、記憶部４７０に保存された冷蔵庫１の機種用の作業動画データ４８３ａを参照して、サブ工程１の作業動画データを取得し、作業動画を再生する。メンテナンス作業者ＰＳは、説明文８６１ａ及び作業動画８６１ｂを視認することによって、作業手順を容易に理解して速やかにメンテナンスの作業を進めることができる。
【００９９】
また、メンテナンス作業者ＰＳは、対応処置の作業手順について、サブ工程毎に説明文及び作業動画を選択して視認することができる。そのため、対応処置の全ての作業手順の説明文及び作業動画を一括して視認する場合に比べて、効率良く作業手順の情報を取得して、速やかにメンテナンス作業を行うことができる。
【０１００】
図１４に示したメンテナンス支援画面ＭＳ０で、メンテナンス作業者ＰＳが機種別関連ニュースの項目ボタン８０８を選択した場合、メンテナンス支援制御部４２２は、管理サーバ５２０から、機種情報ＤＢ１３１に保存されている冷蔵庫１の機種に関する情報を取得して表示器６４１に表示する。これにより、メンテナンス作業者ＰＳは、冷蔵庫１の機種に特有な異常に関する情報等を容易に取得することができる。
【０１０１】
図１４に示したメンテナンス支援画面ＭＳ０で、メンテナンス作業者ＰＳがサービスモードの項目ボタン８０４を選択した場合、メンテナンス支援制御部４２２は、冷蔵庫１の各駆動部の運転の開始を停止を個別に指示するためのメニュー画面を表示する。そして、メンテナンス作業者ＰＳの操作に応じて、メンテナンス支援制御部４２２は、駆動部の運転開始又は運転停止を指示する情報を冷蔵庫１に送信し、この情報の受信に応じて、冷蔵庫１のメンテナンス対応部１１２は、駆動部の運転を開始又は停止する。これにより、例えば、メンテナンス作業者ＰＳは、メンテナンス作業がやり易いように特定のダンパを開ける等の指示をすることができる。このように、駆動部の運転の開始又は停止を指示する処理は、本発明の駆動部運転対応ステップに相当する。
【０１０２】
［９．他の実施形態］
上記実施形態では、本発明の製品として冷蔵庫１を例に説明したが、本発明は、空調機器、洗濯機、テレビ、等の冷蔵庫以外の電化製品に対しても適用することができる。また、駆動部として、圧縮機７１、冷却ファン７６等を示したが、他の種類の駆動部であってもよい。また、第１物理量及び第２物理量として温度を示したが、湿度、熱量、風量、照度等であってもよい。
【０１０３】
上記実施形態では、図９に示した稼働モニタ画面ＷＭ０にメンテナンスボタン７０１を表示して、稼働モニタ画面ＷＭ０から、図１４に示したメンテナンス支援画面ＭＳ０に切替えられる構成とした。他の構成として、メンテナンス支援画面ＭＳ０への切替えを行わない構成としてもよく、この場合にも本発明の効果を得ることができる。
【０１０４】
上記実施形態では、本発明の端末装置として、タブレット型の通信端末４００を示したが、これに限られず、ノートパソコン、スマートフォン等を本発明の端末装置として用いることができる。
【産業上の利用可能性】
【０１０５】
以上のように、本発明にかかる稼働モニタ方法及び稼働モニタ用プログラムは、電化製品の設置場所を訪問したメンテナンス作業者に対して、通信端末に表示される稼働モニタ画面により、同一時点における駆動部の運転状況と第１物理量の情報を提供することができるので、電化製品の全体的な運転状況の確認を容易にして、異常の判断を支援することができる。
【符号の説明】
【０１０６】
１  冷蔵庫
１３  冷蔵室温度センサ
２３  切替室温度センサ
３３  製氷室温度センサ
４３  新鮮凍結室温度センサ
５３  冷凍温度センサ
６３  野菜室温度センサ
７１  圧縮機
７３  機械室ファン
７６  冷却ファン
７７  新鮮凍結室ファン
７８  霜取温度センサ
１００  コントローラ
３００  無線温度センサ
４００  通信端末
４１０  制御ユニット
４２０  ＣＰＵ
４２１  稼働モニタ制御部
４２２  メンテナンス支援制御部
４３０  メモリ
４３１  稼働モニタ用プログラム
４３２  メンテナンス支援用プログラム
４５０  通信部
４６０  タッチパネル
４６１  表示器
４６２  タッチスイッチ
４７０  記憶部
４８０ａ  機種別データ
ＰＳ  メンテナンス作業者
ＰＵ  使用者
ＷＭ０〜ＷＭ２  稼働モニタ画面
ＭＳ０〜ＭＳ６  メンテナンス支援画面
【図１】
2020087088.tif 000003
【図２】
2020087088.tif 000004
【図３】
2020087088.tif 000005
【図４】
2020087088.tif 000006
【図５】
2020087088.tif 000007
【図６】
2020087088.tif 000008
【図７】
2020087088.tif 000009
【図８】
2020087088.tif 000010
【図９】
2020087088.tif 000011
【図１０】
2020087088.tif 000012
【図１１】
2020087088.tif 000013
【図１２】
2020087088.tif 000014
【図１３】
2020087088.tif 000015
【図１４】
2020087088.tif 000016
【図１５】
2020087088.tif 000017
【図１６】
2020087088.tif 000018
【図１７】
2020087088.tif 000019
【図１８】
2020087088.tif 000020
【図１９】
2020087088.tif 000021
【図２０】
2020087088.tif 000022